(57)【要約】【課題】  割当て可能なタイムスロットがないような場合においても、無線通信を行え、タイムスロットを共有した無線端末でも、送受信するデータ量を考慮したデータ送受信が可能な無線通信システムおよび無線通信方法を提供する。【解決手段】  時分割多元接続方式にて無線通信を行う無線通信システム１０では、無線基地局１００が、２以上の無線端末２００に同一タイムスロットを割当て、同一タイムスロットでデータを送信する際、同一タイムスロットを割当てた無線端末２００に送信するデータ量に応じてデータを送信する無線端末を設定してデータを送信し無線端末２００は、タイムスロットで受信したデータの宛先を判定し、判定結果に応じた送信制御を実行する。【選択図】  図１
2010278605.tif 000002
【特許請求の範囲】
【請求項１】
無線端末と、無線基地局とから構成され、時分割多元接続方式にて無線通信を行う無線通信システムであって、
前記無線基地局は、
前記無線端末とデータを送受信する第１送受信部と、
通信中の複数の無線端末のうち、２以上の無線端末に同一タイムスロットを割当てる割当部と、
前記同一タイムスロットでデータを送信する場合に、前記同一タイムスロットを割当てている各無線端末に送信するデータ量に応じて、前記同一タイムスロットでデータを送信する無線端末を設定し、当該設定した無線端末へのデータを前記第１送受信部に送信させる第１制御部と、を備え、
前記無線端末は、
前記無線基地局とデータを送受信する第２送受信部と、
前記無線基地局に割当てられたタイムスロットで受信したデータに含まれる識別情報に基づいて、前記受信したデータの宛先を判定する判定部と、
前記判定部における判定結果に応じて、送信制御を実行する第２制御部と、を備え、
前記無線端末の前記第２制御部は、
前記判定部における判定の結果、前記受信したデータの宛先が自身である場合には、前記第２送受信部に、前記データを受信したタイムスロットに対応する送信用タイムスロットでデータを送信させ、
前記判定部における判定の結果、前記受信したデータの宛先が自身でない場合には、前記第２送受信部に、前記データを受信したタイムスロットに対応する送信用タイムスロットにおける、前記無線基地局へのデータの送信を停止させる、
ことを特徴とする無線通信システム。
【請求項２】
前記無線端末の前記第２制御部は、
前記判定部における判定結果により、前記無線基地局に割当てられたタイムスロットが、他の無線端末にも割当てられていることを把握する、
ことを特徴とする請求項１に記載の無線通信システム。
【請求項３】
前記無線端末において、
前記無線基地局に割当てられたタイムスロットにおける受信状況に関する値を取得する取得部と、をさらに備え、
前記第２制御部は、前記受信状況に関する値に応じて、無線通信に関する制御を実行する、
ことを特徴とする請求項１または２に記載の無線通信システム。
【請求項４】
前記無線端末において、
前記第２制御部は、前記無線基地局に割当てられたタイムスロットにおいてデータを受信できない場合に、無線通信に関する制御を実行する、
ことを特徴とする請求項１乃至３のいずれか一項に記載の無線通信システム。
【請求項５】
無線端末と、無線基地局とから構成され、時分割多元接続方式にて無線通信を行う無線通信システムの無線通信方法であって、
前記無線基地局が、
通信中の複数の無線端末のうち、２以上の無線端末に同一のタイムスロットを割当てるステップと、
前記同一タイムスロットでデータを送信する場合に、前記同一タイムスロットを割当てている各無線端末に送信するデータ量に応じて、前記同一タイムスロットでデータを送信する無線端末を設定するステップと、
前記設定された無線端末へのデータを、前記同一タイムスロットで送信するステップと、
前記無線端末が、
前記無線基地局に割当てられたタイムスロットでデータを受信するステップと、
前記受信したデータに含まれる識別情報に基づいて、前記受信したデータの宛先を判定するステップと、
前記判定ステップにおける判定の結果、前記受信したデータの宛先が自身である場合には、前記データを受信したタイムスロットに対応する送信用タイムスロットでデータを送信するステップと、
前記判定ステップにおける判定の結果、前記受信したデータの宛先が自身でない場合には、前記第２送受信部に、前記データを受信したタイムスロットに対応する送信用タイムスロットにおける、前記無線基地局へのデータの送信を停止させるステップと、
を有することを特徴とする無線通信方法。
【発明の詳細な説明】
【技術分野】
【０００１】
本発明は、ＴＤＭＡ（時分割多元接続方式）により無線通信を行う無線通信システム、および、その無線通信システムにおける無線通信方法に関する。
【背景技術】
【０００２】
ＰＨＳ等、ＴＤＭＡ−ＴＤＤ方式を採用する無線基地局と無線端末からなる無線通信システムでは、フレームを時分割し、時分割した１対の送信用タイムスロットと、受信用タイムスロットを、通信を要求する各無線端末を割当てる。
図７にフレーム構成を示す。無線端末は、無線基地局から無線端末への方向（ダウンリンク、ＤＬ）におけるタイムスロットをデータ受信する受信用タイムスロットとし、無線端末から無線基地局への方向（アップリンク、ＵＬ）におけるタイムスロットをデータ送信する送信用タイムスロットとして割り当てられる。一方、無線基地局は、ダウンリンクのタイムスロットで、各無線端末にデータ送信（送信用タイムスロット）し、アップリンクのタイムスロットで、各無線端末からのデータを受信する（受信用タイムスロット）。これにより、１つの無線基地局と複数の無線端末との間に、同時にそれぞれのチャネルを確保することが可能となる。
【０００３】
しかし、上述する無線通信システムでは、１つのタイムスロットで通信できるデータ量や、接続可能な無線端末数が限られている。そのため、同一の１対のタイムスロットに、送受信するデータ量の少ない複数の無信端末を割当てる技術が提案されている（例えば、特許文献１を参照）。
これにより、空きスロットを、多くのデータを送信、受信している無線端末にさらに割当てることや、新たに接続する無線端末に割当てることが可能となる。
【先行技術文献】
【特許文献】
【０００４】
【特許文献１】特開平９−１８９４１号公報
【発明の概要】
【発明が解決しようとする課題】
【０００５】
特許文献１に記載の技術では、同一のタイムスロットを利用する複数の無線端末は、数フレーム毎にタイムスロットを利用する無線通信を行っている。このとき、送受信するデータ量が極端に少なく、また、利用するタイムスロットで送受信するデータが存在しない無線端末でも、数フレーム毎にタイムスロットが割当てられる。そのため、タイムスロットの使用効率が低下する要因となっていた。
【０００６】
本発明は、このような問題点に鑑みてなされたものであり、本発明の目的は、タイムスロットを共有した無線端末においても、当該無線端末への送信データ量を考慮することで、より無線リソースを有効利用できる無線通信システムおよび無線通信方法を提供することにある。
【課題を解決するための手段】
【０００７】
上記目的を達成するため、本発明は、無線端末（無線端末２００）と、無線基地局（無線基地局１００）とから構成され、時分割多元接続方式にて無線通信を行う無線通信システム（無線通信システム１０）であって、前記無線基地局は、前記無線端末とデータを送受信する第１送受信部（無線処理部１０２、信号処理部１０３）と、通信中の複数の無線端末のうち、２以上の無線端末に同一タイムスロットを割当てる割当部（割当部１８１）と、前記同一タイムスロットでデータを送信する場合に、前記同一タイムスロットを割当てている各無線端末に送信するデータ量に応じて、前記同一タイムスロットでデータを送信する無線端末を設定し、当該設定した無線端末へのデータを前記第１送受信部に送信させる第１制御部（制御部１０８）と、を備え、前記無線端末は、前記無線基地局とデータを送受信する第２送受信部（無線処理部２０２、信号処理部２０３）と、前記無線基地局に割当てられたタイムスロットで受信したデータに含まれる識別情報に基づいて、前記受信したデータの宛先を判定する判定部（宛先判定部２８１）と、前記判定部における判定結果に応じて、送信制御を実行する第２制御部（制御部２０７）と、を備え、前記無線端末の前記第２制御部は、前記判定部における判定の結果、前記受信したデータの宛先が自身である場合には、前記第２送受信部に、前記データを受信したタイムスロットに対応する送信用タイムスロットでデータを送信させ、前記判定部における判定の結果、前記受信したデータの宛先が自身でない場合には、前記第２送受信部に、前記データを受信したタイムスロットに対応する送信用タイムスロットにおける、前記無線基地局へのデータの送信を停止させる。
本発明によれば、複数の無線端末に同一タイムスロットを共有させて、さらに、同一タイムスロットを共有している無線端末においても送受信するデータ量を考慮した送信制御を行うので、より無線リソースの有効利用が可能となる。
また、本発明によれば、無線端末のいる場所の電波状態が悪い場合や、無線端末が高速移動している状況のために無線基地局からのデータが届かなかったのか、無線基地局から自身宛のデータが送出されていないのかを判断することが可能となる。
また、本発明に係る無線通信システムは、前記無線端末の前記第２制御部は、前記判定部における判定結果により、前記無線基地局に割当てられたタイムスロットが、他の無線端末にも割当てられていることを把握する。
本発明によれば、無線基地局は、同一タイムスロットを共有させる際に、事前に、各無線端末に対して、タイムスロットの切替などに関する制御情報の送受信を行わず、データを受信する際の識別情報で、同一タイムスロットの共有を把握させる。これにより、同一スロットを使用した無線通信時、無線端末を切り替える際に必要となる所手順を限りなく少なくすることができる。
また、本発明に係る無線通信システムは、前記無線端末において、前記無線基地局に割当てられたタイムスロットにおける受信状況に関する値を取得する取得部（信号処理部２０３）と、をさらに備え、前記第２制御部は、前記受信状況に関する値に応じて、無線通信に関する制御を実行する。
【０００８】
また、本発明に係る無線通信システムは、前記無線端末において、前記第２制御部は、前記無線基地局に割当てられたタイムスロットにおいてデータを受信できない場合に、無線通信に関する制御を実行する。
【０００９】
また、本発明は、無線端末と、無線基地局とから構成され、時分割多元接続方式にて無線通信を行う無線通信システムの無線通信方法であって、前記無線基地局が、通信中の複数の無線端末のうち、２以上の無線端末に同一のタイムスロットを割当てるステップと、    前記同一タイムスロットでデータを送信する場合に、前記同一タイムスロットを割当てている各無線端末に送信するデータ量に応じて、前記同一タイムスロットでデータを送信する無線端末を設定するステップと、前記設定された無線端末へのデータを、前記同一タイムスロットで送信するステップと、前記無線端末が、前記無線基地局に割当てられたタイムスロットでデータを受信するステップと、前記受信したデータに含まれる識別情報に基づいて、前記受信したデータの宛先を判定するステップと、前記判定ステップにおける判定の結果、前記受信したデータの宛先が自身である場合には、前記データを受信したタイムスロットに対応する送信用タイムスロットでデータを送信するステップと、前記判定ステップにおける判定の結果、前記受信したデータの宛先が自身でない場合には、前記第２送受信部に、前記データを受信したタイムスロットに対応する送信用タイムスロットにおける、前記無線基地局へのデータの送信を停止させるステップと、を有する。
【発明の効果】
【００１０】
タイムスロットを共有した無線端末に送信するデータ量を考慮した無線通信を行うので、より無線リソースの有効利用が可能となる。
【図面の簡単な説明】
【００１１】
【図１】本発明の実施形態に係る無線通信システムを示した概略構成図である。
【図２】本発明の実施形態に係る無線基地局の構成を示した機能ブロック図である。
【図３】本発明の実施形態に係る無線端末の構成を示した機能ブロック図である。
【図４】本発明の実施形態に係る無線通信システムの無線基地局における、データ通信中の動作を示したフローチャートである。
【図５】本発明の実施形態に係る無線通信システムの無線端末における、データ通信中の動作を示したフローチャートである。
【図６】本発明の実施携帯に係る無線通信システムにおけるフレーム構成を示す図である。
【図７】フレーム構成を示す図である。
【発明を実施するための形態】
【００１２】
次に、図面を参照して、本発明の実施形態を説明する。
（１）無線通信システムの構成  
まず、本実施形態に係る無線通信システムの構成について説明する。
（１．１）全体概略構成  
図１は、本実施形態に係る無線通信システムの概略構成図である。図１に示すように、無線通信システム１０は、無線基地局１００、及び、複数の無線端末２００を備える。本実施形態では、無線基地局１００及び無線端末２００は、時分割多元接続−時分割複信（ＴＤＭＡ−ＴＤＤ）方式を用いた無線通信を実行する。
（１．２）無線基地局の構成  
図２は、無線基地局１００の構成を示す機能ブロック図である。
図２に示すように、無線基地局１００は、アンテナ１０１、無線処理部１０２、信号処理部１０３、バッファ部１０４、上位層処理部１０５、データ量検出部１０６、データ量
判定部１０７及び制御部１０８を備える。
無線処理部１０２は、アンテナ１０１を用いて無線信号（ＲＦ信号）の送信又は受信を行う。無線処理部１０２は、受信系統（ＬＮＡ、ダウンコンバータ及びＡ／Ｄ変換器）及び送信系統（Ｄ／Ａ変換器、アップコンバータ及びパワーアンプ）などを有する。
無線処理部１０２は、信号送信時において、信号処理部１０３からのベースバンド信号をアナログ信号に変換する。無線処理部１０２は、当該アナログ信号をアップコンバート及び増幅して無線信号を生成し、生成した無線信号をアンテナ１０１から送出する。また、無線処理部１０２は、制御部１０８からの指示に従って、無線信号の送信電力を制御する。
無線処理部１０２は、信号受信時において、アンテナ１０１からの無線信号を増幅、ダウンコンバート及びＡ／Ｄ変換することで、無線信号をベースバンド信号に変換する。当該ベースバンド信号は、信号処理部１０３に入力される。
信号処理部１０３は、信号受信時において、ベースバンド信号からユーザデータを復調するとともに、誤り訂正復号を行う。信号処理部１０３は、信号送信時において、制御部１０８から指示される変調クラスを用いて、ユーザデータを変調するとともに、誤り訂正符号化を行う。
また、信号処理部１０３は、信号受信時において、アップリンクＵＬにおけるＲＳＳＩや、ＣＲＣ等の受信品質を測定する。
バッファ部１０４は、信号受信時において、受信したユーザデータの順序制御を行うため、ユーザデータを一時的に記憶する。バッファ部１０４は、信号送信時において、ユーザデータの送信が完了するまで、当該ユーザデータを一時的に記憶する。
上位層処理部１０５は、ユーザデータを生成する。例えば、上位層処理部１０５は、ＲＴＰ（Transport Protocol for Real-Time Applications : RFC 1889）／ＵＤＰ（User Datagram Protocol : RFC 768）／ＩＰ（Internet Protocol : RFC 791）などの通信プロトコルを実行する。
データ量検出部１０６は、各無線端末２００に送信するユーザデータの量（ユーザデータ量）を検出する。ユーザデータ量の検出方法としては、次の（ａ）又は（ｂ）のいずれかが使用される。
（ａ）バッファ部１０４に格納されているユーザデータ量を参照する方法  
データ量検出部１０６は、バッファ部１０４を参照することによって、無線端末２００に送信するユーザデータ量を検出する。例えば、バッファ部１０４の送信キューが埋まっている場合、データ量検出部１０６は、ダウンリンクＤＬのトラフィックは非常に多いと判断する。一方、送信キューにユーザデータが無い場合、データ量検出部１０６は、ダウンリンクＤＬのユーザデータ量はゼロであると判断する。
（ｂ）パケットのヘッダ情報を参照する方法  
該ヘッダ情報に応じて通信の種別を判定する。例えば、ＶｏＩＰ（Voice over Internet Protocol）による音声通話が実行されている場合、データ量検出部１０６は、無線端末２００に送信するユーザデータ量が少ないと判断する。無線端末２００においてコンテンツデータのダウンロードを実行している場合、データ量検出部１０６は、無線端末２００に送信するユーザデータ量が多いと判断する。
データ量比較部１０７は、データ量検出部１０６によって検出された各無線端末２００に送信するユーザデータ量を比較し、比較結果を制御部１０８に通知する。
制御部１０８は、割当部１８１と、共有配置判定部１８２と、データ送信先設定部１８３と、を備える。
割当部１８１は、無線端末２００に対し、各フレームに含まれるタイムスロットを割当てる。このタイムスロットの割当ては、次の（ａ）又は（ｂ）のいずれかが実行される。
（ａ）空きタイムスロットがある場合  
空きタイムスロットがある場合に、無線端末２００から接続要求する信号を送信されると、空きタイムスロットのいずれかを当該無線端末２００に割当てる。
（ｂ）空きタイムスロットが少ない、又は、ない場合  
空きタイムスロットが少ない場合、又は、空きスロットがない場合には、通信中の複数の無線端末２００に同一タイムスロットを割当てる再割当てを行う。タイムスロットの再割当ては、共有配置判定部１８２から出力される、同一のタイムスロットを共有させる無線端末２００の情報（詳細は後述する。）を利用して行う。タイムスロットの再割当ては、空きタイムスロット数が設定される閾値以下となった場合や、閾値以下となった場合に新たに無線端末２００から接続要求する信号が送信された場合に行われる。
尚、同一タイムスロットを共有させる際に、事前に、各無線端末２００に対して、タイムスロットの切替などに関する制御情報の送受信を行わず、データを受信する際の識別情報で、同一タイムスロットの共有を把握させる。これにより、同一スロットを使用した無線通信時、送信先の無線端末２００を切り替える際に必要となる所手順を限りなく少なくすることができる。
共有配置判定部１８２は、通信中の無線端末２００のうち、同一のタイムスロットを共有させる複数の無線端末２００を判定する。判定は、データ量比較部１０７から出力された比較結果を利用して行われる。そして、判定結果となる、同一のタイムスロットを共有させる無線端末２００の情報を割当部１８１に出力する。
データ送信先設定部１８３は、同一のタイムスロットを共有している複数の無線端末２００のうち、データを送信する無線端末２００を設定する。データの送信先は、データ量比較部１０７から出力された比較結果を利用し、同一のタイムスロットを共有している複数の無線端末２００のうち、送信するダウンリンクＤＬのユーザデータ量が最大の無線通信端末２００を設定する。この設定は、複数の無線端末２００に共有されている、送信用タイムスロット（無線端末２００においては、受信用タイムスロット）毎に行われる。そして、送信用タイムスロット毎に、制御データに宛先となる無線端末２００の識別情報が付加されて送信される。
なお、制御部１０８は、無線端末２００との通信において、自動再送制御（ＡＲＱ）や、ＣＲＣを用いた誤り検出なども行う。また、無線端末２００によって通知されるダウンリンクＤＬのＲＳＳＩ等の受信品質に基づき、ダウンリンクＤＬの通信に適用する変調クラスを選択する。さらに、信号処理部１０３で測定されたアップリンクＵＬの受信品質を利用して、アップリンクＵＬにて無線端末２００がデータを送信する際の変調クラスや送信電力を、無線端末２００に通知する。
（１．３）無線端末の構成  
図３は、無線端末２００の構成を示す機能ブロック図である。図３に示すように、無線基地局１００は、アンテナ２０１、無線処理部２０２、信号処理部２０３、バッファ部２０４、上位層処理部２０５、データ検出部２０６及び制御部２０７を備える。
無線処理部２０２は、アンテナ２０１を用いて無線信号（ＲＦ信号）の送信又は受信を行う。無線処理部２０２は、受信系統（ＬＮＡ、ダウンコンバータ及びＡ／Ｄ変換器）及び送信系統（Ｄ／Ａ変換器、アップコンバータ及びパワーアンプ）などを有する。
無線処理部２０２は、信号送信時において、信号処理部２０３からのベースバンド信号をアナログ信号に変換する。無線処理部２０２は、当該アナログ信号をアップコンバート及び増幅して無線信号を生成し、生成した無線信号をアンテナ２０１から送出する。また、無線処理部２０２は、制御部２０７からの指示に従って、無線信号の送信電力を制御する。
無線処理部２０２は、信号受信時において、アンテナ２０１からの無線信号を増幅、ダウンコンバート及びＡ／Ｄ変換することで、無線信号をベースバンド信号に変換する。当該ベースバンド信号は、信号処理部２０３に入力される。
信号処理部２０３は、信号受信時において、ベースバンド信号からユーザデータを復調するとともに、誤り訂正復号を行う。信号処理部２０３は、信号送信時において、制御部２０７から指示される変調クラスを用いて、ユーザデータを変調するとともに、誤り訂正符号化を行う。また、信号処理部２０３は、信号受信時において、ダウンリンクＤＬのＲＳＳＩやＣＲＣなどの受信品質を測定する。
バッファ部２０４は、信号受信時において、受信したユーザデータの順序制御を行うため、ユーザデータを一時的に記憶する。バッファ部２０４は、信号送信時において、ユーザデータの送信が完了するまで、当該ユーザデータを一時的に記憶する。
上位層処理部２０５は、ユーザデータを生成する。例えば、上位層処理部２０５は、ＲＴＰ（Transport Protocol for Real-Time Applications : RFC 1889）／ＵＤＰ（User Datagram Protocol : RFC 768）／ＩＰ（Internet Protocol : RFC 791）などの通信プロトコルを実行する。
データ検出部２０６は、各受信用スロットにて受信するユーザデータの有無を検出する。
制御部２０７は、宛先判定部２８１と、受信品質判定部２８２と、データ送信設定部２８３と、を備える。
宛先判定部２８１は、割当てられた受信用タイムスロットで送信されたデータの宛先を判定する。当該データの宛先は、受信したデータの制御情報に含まれる、宛先となる無線端末２００の識別情報を参照する。そして、判定結果をデータ送信設定部２８３に出力する。
受信品質判定部２８２は、信号受信時に、信号処理部２０３が測定したダウンリンクＤＬの受信品質を判定する。本実施形態においては、受信品質とし、ＲＳＳＩを利用する。そして、ＲＳＳＩが、予め設定されている閾値以上であるかを判定する。そして、ＣＮＲが閾値未満であると判定された場合、制御部２０７は、無線基地局１００との通信環境が悪化していると判断し、無線基地局１００に通知したり、干渉を回避するための制御をしたりする。
データ送信設定部２８３は、宛先判定部２８１から、受信したデータが、自身が宛先であるとの判定結果が出力された場合には、当該データを受信したタイムスロットに対応する送信用タイムスロットにて、無線基地局２００に対して、データを送信するための指示を行う。また、宛先判定部２８１から、受信したデータが、他の無線端末２００であるとの判定結果が出力された場合には、当該データを受信した受信用タイムスロットに対応する送信用タイムスロットにて、無線基地局２００に対して、データ送信を停止させる指示を行う。
なお、制御部２０７は、無線基地局１００との通信において、自動再送制御（ＡＲＱ）や、ＣＲＣを用いた誤り検出なども行う。また、無線基地局１００によって通知されるアップリンクＤＬの通信に適用する変調クラスを選択する。
（２）無線通信システム１０の動作  
次に、本実施形態に係る無線通信システム１０における、無線基地局１００、及び、無線端末２００の動作について説明する。
以下では、（２．１）無線基地局１００に関する動作、（２．２）無線端末２００に関する動作を説明する。
（２．１）無線基地局１００に関する動作  
図４は、無線基地局１００における動作を示すフローチャートである。
ステップＳ４０において、無線基地局１００は、通信中の複数の無線端末２００のうち、２以上の無線端末２００に同一のタイムスロットを割当てる再割当てを行う。
ステップＳ４１において、無線基地局１００は、次に無線基地局１００がデータを送信する送信用タイムスロットがいずれかの無線端末２００に割当てられているか否かを判定する。いずれかの無線端末２００に割当てられている場合、処理がステップＳ４２に進む。一方、いずれの無線端末２００にも割当てていない場合、処理がステップＳ４７に進む。
ステップＳ４２において、無線基地局１００は、データを送信する送信用タイムスロットが、複数の無線端末２００に共有させているタイムスロットであるか否かを判定する。送信用スロットが複数の無線端末２００に共有させているタイムスロットである場合、処理がステップＳ４３に進む。一方、送信用スロットが単独の無線端末２００に割当てているタイムスロットである場合、処理がステップＳ４５に進む。
ステップＳ４３において、無線基地局１００は、送信用スロットを共有させている各無線端末２００における、送信するユーザデータ量を検出する。
【００１３】
ステップＳ４４において、無線基地局１００は、ステップＳ４３で検出されたユーザデータ量が最も多い無線端末２００をデータの送信先として設定する。
【００１４】
一方、ステップＳ４５において、無線基地局１００は、単独の無線端末２００を送信用タイムスロットにおけるデータの送信先として設定する。
【００１５】
ステップＳ４６において、無線基地局１００は、設定した送信先にデータを送信する。
【００１６】
ステップＳ４７において、無線基地局１００は、１フレーム内の送信用タイムスロットにおけるデータ送信が終了したか否かを判定する。データ送信が終了した場合、処理がステップＳ４８に進む。一方、データ送信が終了していない場合、処理がステップＳ４１に進む。
【００１７】
ステップＳ４８において、無線基地局１００は、各受信用タイムスロットで、対応する送信用タイムスロットでデータを送信した無線端末２００からデータを受信する。
（２．２）無線端末２００に関する動作  
図５は、無線端末２００における動作を示すフローチャートである。
ステップＳ５０において、無線端末２００は、無線基地局２００に割当てられている受信用タイムスロットで、無線基地局２００から送信されたデータを受信できたか否かを判定する。データを受信できた場合、処理がステップＳ５１に進む。一方、データを受信できなかった場合、処理がステップＳ５６に進む。
ステップＳ５１において、無線端末２００は、受信したデータが、自身を宛先として送信されたデータか否かを判定する。自身が宛先のデータである場合、処理がステップＳ５２に進む。一方、宛先が他の無線端末２００である場合、処理がＳ５４に進む。
ステップＳ５２において、無線端末２００は、ダウンリンクＤＬのＲＳＳＩが、予め設定されている閾値以上であるかを判定する。ＲＳＳＩが閾値以上である場合、処理がステップＳ５３に進む。一方、ＲＳＳＩが閾値未満である場合、処理がステップＳ５６に進む。
ステップＳ５３において、無線端末２００は、データを受信したタイムスロットに対応する無線端末２００が送信する送信用タイムスロットで、データを無線基地局２００に送信する。
ステップＳ５４において、無線端末２００は、ダウンリンクＤＬのＲＳＳＩが、予め設定されている閾値以上であるかを判定する。ＲＳＳＩが閾値以上である場合、処理がステップＳ５５に進む。一方、ＲＳＳＩが閾値未満である場合、処理がステップＳ５６に進む。
ステップＳ５５において、無線端末２００は、データを受信した受信用タイムスロットに対応する送信用タイムスロットで、データを無線基地局２００に送信するための送信処理を停止する。
ステップＳ５６において、無線端末２００は、無線信号の送信電力を制御したり、変調クラスの変更を指示したりする通信制御を行う。
【００１８】
図６は、本実施形態に係る無線通信システム１０がタイムスロットを使用して無線通信を行っているときのフレーム構成を示す図である。図６では、無線端末２００Ａと無線端末２００Ｂがタイムスロットを共有されている無線通信を行っている。各無線端末２００の送信するユーザデータ量に応じて、無線基地局２００は送信先を設定する。そのため、タイムスロットを共有した無線端末においても送受信するデータ量を考慮した無線通信を行うことができる。
【００１９】
なお、上述した実施の形態では、送信するユーザデータ量に応じてタイムスロットにおける送信先の無線端末２００を設定した。しかし、本発明は、これに限るものではなく、通信の種別を判定して、送信するユーザデータ量の比較を行っても良い。
【符号の説明】
【００２０】
１０…無線通信システム、１００…無線基地局、１０１…アンテナ、１０２…無線処理部、１０３…信号処理部、１０４…バッファ部、１０５…上位層処理部、１０６…データ量検出部、１０７…データ量比較部、１０８…制御部、１８１…割当部、１８２…共有配置判定部、１８３…データ送信先設定部、２００…無線端末、２０１…アンテナ、２０２…無線処理部、２０３…信号処理部、２０４…バッファ部、２０５…上位層処理部、２０６…データ検出部、２０７…制御部、２８１…宛先判定部、２８２…受信品質判定部、２８３…データ送信設定部。
【図１】
2010278605.tif 000003
【図２】
2010278605.tif 000004
【図３】
2010278605.tif 000005
【図４】
2010278605.tif 000006
【図５】
2010278605.tif 000007
【図６】
2010278605.tif 000008
【図７】
2010278605.tif 000009